(57)【要約】【課題】被転写面に複数の当接部を有することで転写具が安定した状態で転写動作を行うことができ、転写動作時に転写ヘッドに意識を集中させることなく転写ヘッドが被転写面に自然に押圧される転写具を提供することを課題とする。【解決手段】ケース本体３の前方にケース本体３に収容した転写テープ４を折り返す転写ヘッド２を設け、ケース本体３の前方に支持体７を配し、支持体７に後方に延びる立片７ａを設け、立片７ａとケース本体３を回動自在に係止し、立片７ａとケース本体３の間に弾性体を張架してケース本体３の転写ヘッド側を後方に弾発させる。【選択図】図１
2016124197.tif 000002
【特許請求の範囲】
【請求項１】
ケース本体の前端に該ケース本体に収容した転写テープを折り返す転写ヘッドを設け、前記転写ヘッドを介して前記転写テープの基材上の転写物を転写対象物の被転写面へ転写する転写具であって、前記ケース本体の前方に、前記被転写面に当接する当接部と、前記当接部から立設して後方へ延びる立片と、を有する支持体を配し、前記支持体の立片に設けた係止部に前記ケース本体を回動自在に係止し、前記ケース本体と前記支持体との間に弾性体を張架して前記転写ヘッドが前記被転写面から離間するように弾発させ、転写動作時において前記弾性体の弾発力に抗して前記ケース本体の後方を転写方向側へ回動することにより前記転写ヘッドを前記被転写面に当接させる構成を特徴とする転写具。
【請求項２】
前記支持体に前記転写対象物の被転写面と当接するローラーを回動自在に係止し、前記ローラーを前記支持体の当接部としたことを特徴とする請求項１に記載の転写具。
【発明の詳細な説明】
【技術分野】
【０００１】
本発明は、転写テープの基材に塗着した糊等の粘着材、修正剤、着色剤等の転写物を紙等の転写対象物に転写するための転写具に関する。
【背景技術】
【０００２】
従来より、転写テープの基材に塗着した糊等の粘着剤、修正剤や着色剤等の転写物を紙等の転写対象物に転写するための転写ヘッドを、外方に突出させて備えたケース本体内に配設し、転写ヘッドにより転写テープを転写対象物に押し当てた状態で転写具または転写対象物をスライドさせることで、転写テープが順次繰出されて転写物を転写対象物へ転写する転写具が知られている。
【０００３】
これらの転写具は、転写動作時に転写対象物の被転写面に対して転写ヘッドのみが当接しており、使用者が手で保持するケース本体は転写対象物から浮いた状態となっている。その際、使用者は感覚のみで転写対象物の被転写面に転写ヘッドを押圧すると共にケース本体が被転写面から浮いた状態を維持しつつケース本体をスライド移動することが必要となり、転写物を正確に紙面に転写するにはケース本体をスライドする際の進行方向およびその垂直方向である被転写面へ転写ヘッドを押し付ける力をバランスよく制御する必要があった。
【０００４】
この問題を解消するために、転写動作時に転写ヘッドに加えて転写対象物の被転写面に当接するローラーをケース本体に回動自在に係止させ、転写動作時に複数の支えを設けると共に接触部を回転するローラーとすることで転写具の移動をスムーズに行えるようにした技術が特許文献１や特許文献２に開示されている。
【０００５】
しかしながら、特許文献１及び特許文献２に記載された転写具では転写対象物に対して当接する転写ヘッドとローラーとに均等に力を掛け易く、転写ヘッドを転写対象物に押圧した瞬間は転写具のバランスは安定するものの、転写具を転写方向へ移動する際には転写ヘッドより転写方向側にあるローラーに力が掛り易く、肝心の転写ヘッドを被転写面に対して押圧する力が弱くなってしまうため、常に転写ヘッドがしっかりと被転写面に押圧されていることに注意をはらう必要があった。
【先行技術文献】
【特許文献】
【０００６】
【特許文献１】登録実用新案第３０１７２５２号公報
【特許文献２】特開２００４−５３５９９９号公報
【発明の概要】
【発明が解決しようとする課題】
【０００７】
本発明は、前記問題を鑑みて、転写具が安定した状態で転写動作を行うことができ、転写動作時に転写ヘッドに意識を集中させることなく転写ヘッドが被転写面に自然に押圧される転写具を提供することを課題とする。
【課題を解決するための手段】
【０００８】
本発明は、
「１．ケース本体の前端に該ケース本体に収容した転写テープを折り返す転写ヘッドを設け、前記転写ヘッドを介して前記転写テープの基材上の転写物を転写対象物の被転写面へ転写する転写具であって、前記ケース本体の前方に、前記被転写面に当接する当接部と、前記当接部から立設して後方へ延びる立片と、を有する支持体を配し、前記支持体の立片に設けた係止部に前記ケース本体を回動自在に係止し、前記ケース本体と前記支持体との間に弾性体を張架して前記転写ヘッドが前記被転写面から離間するように弾発させ、転写動作時において前記弾性体の弾発力に抗して前記ケース本体の後方を転写方向側へ回動することにより前記転写ヘッドを前記被転写面に当接させる構成を特徴とする転写具。
２．前記支持体に前記転写対象物の被転写面と当接するローラーを回動自在に係止し、前記ローラーを前記支持体の当接部としたことを特徴とする１項に記載の転写具。」である。
【０００９】
前記第１の構成による転写具は、ケース本体の前端に転写ヘッドを設け、ケース本体の前方に、被転写面と当接する当接部と、当接部から立設して後方へ延びる立片と、を有する支持体を配し、支持体の立片に設けた係止部に前記ケース本体を回動自在に係止し、支持体とケース本体との間に弾性体を張架して転写ヘッドを被転写面から離間するように弾発することで、支持体で転写ヘッドを被転写面より離間した状態で支持することができる。このとき、転写ヘッドが転写対象物の被転写面に当接していないため、支持体の移動により転写開始位置を微調整し易く、例えば転写物が糊のような付着し易い場合でも不用意に転写ヘッドが被転写面に当たることないため、誤った位置に転写することを防止できる。尚、支持体とケース本体の間に配設した弾性体はコイルスプリングでもよく、板バネを用いてもよいが、回動するもの同士を弾発している為、コイルスプリングよる直線的な弾発より弾発方向を調整しやすい板バネを用いた方がコンパクトに構成できるため好ましい。
更に、支持体の当接部の角部と転写ヘッドが転写対象物の被転写面に当接する位置とを一致するように形成することで、支持体の角部を目印にして転写開始位置を認識することができる。
【００１０】
また、転写動作時において、ケース本体の後方を弾性体の弾発力に抗して転写対象物の被転写面側へ回動することで、ケース本体と共に転写ヘッドも回動される。このとき、回動された転写ヘッドが転写対象物の被転写面に当接するように構成すると共に転写ヘッドが被転写面に対して傾かないように支持体でケース本体を支持しているため、従来の転写具のように転写ヘッドが転写対象物の被転写面と正しく当接するようにケース本体と被転写面との角度を手動で調整する必要がない。更に、ケース本体を支持する支持体の立片をケース本体の両側面に形成することで、ケース本体を回動する際にケース本体が傾かずに安定した状態で支えることができるため好ましい。
更にまた、転写動作時において、ケース本体を手で掴み転写ヘッドを被転写面に当接した状態で転写方向側に移動させた際、ケース本体は支持部を軸にして被転写面側に回動する力も同時に受けるため、ケース本体を転写方向へ移動させる力を転写ヘッドが転写対象物の被転写面に押圧する力に変換でき、転写ヘッドを被転写面に継続的に押圧することを意識しなくても、ケース本体を後方に移動させるだけで自然に転写ヘッドが転写対象物に押圧されるため転写動作を楽に実行できる。
また、支持体とケース本体との係止方法は、一例として支持体の立片に設けた係止部とケース本体の側面に設けた係止受部とを回動自在に係止させ、その形状は係止部を凸状に形成し係止受部を凹状に形成して係止させてもよく、係止部を凹状に形成し係止受部を凸状に形成して係止させてもよいが、係止方法はこれに限定されない。
【００１１】
前記第２の構成による転写具は、前記支持体に前記転写対象物と当接するローラーを回動自在に係止することで、転写動作時に転写ヘッドを被転写面に当接させた際、転写具を転写ヘッドと転写方向側にあるローラーの２点で支持させることができ、ローラーにより転写方向を案内できるため、直線的な転写動作を容易にし、且つ転写動作時に被転写面との抵抗を減らすことで、スムーズに転写具を移動させて転写動作を行うことができる。
【発明の効果】
【００１２】
本発明では、支持体によりケース本体を支持することで転写具を安定した状態で転写動作を行うことができ、更に転写動作時に転写対象物の被転写面に沿って転写具を移動させる力を転写ヘッドが被転写面に押圧する力に変換することで、転写ヘッドに意識を集中することなく転写動作を行うことができる転写具を提供することができた。
【図面の簡単な説明】
【００１３】
【図１】本実施例の転写具を示した断面図である。
【図２】本実施例の転写具における転写動作を行っている状態を示す断面図である。
【図３】本実施例の転写具を示した図である。図３（Ａ）は側面図であり、図３（Ｂ）は図３（Ａ）における転写具を左方から視た図である。
【図４】本実施例の転写具において、転写動作を行う際に転写具を転写対象物にセットした状態を示す要部拡大断面図である。
【図５】本実施例の転写具において、転写動作を行っている状態を示す要部拡大断面図である。
【発明を実施するための形態】
【実施例】
【００１４】
本実施例の転写具は、いわゆる「テープのり」の形態であり、転写具の転写ヘッド側を前方とし、その反対方向を後方と表現する。
【００１５】
図１に示すように転写具１は従来の「テープのり」と同様に、転写ヘッド２を前端から外方へ突出させて形成したケース本体３内に、テープ状の基材４ａに転写物（糊）４ｂを塗着した転写テープ４を巻き付けた供給リール５と、転写テープ４を巻き取る巻き取りリール６とを回転可能に配設した構造のものであり、転写テープ４を転写ヘッド２によって折り返してある。また図２に示すように、転写ヘッド２により転写テープ４を転写対象物１００の被転写面１００ａに押し当てた状態で転写具１を転写方向（図２の矢示方向）へスライドさせることで、転写テープ４が供給リール５により順次繰り出され、転写テープ４に塗着した塗着物（糊）４ｂを転写対象物１００へ転写する。転写し終わった転写テープ４の基材４ａは、巻き取りリール６により巻き取られる。
【００１６】
次に、図１及び図３を用いて、転写具１に形成する支持体７についての構成を説明する。図１及び図３に示すように、ケース本体３の両側面に隣接する支持体７を設け、支持体７はケース本体３の両側面に隣接して平行に延びる２つの立片７ａと、立片７ａ同士を互いにつなぐ２つの横軸として前部横軸７ｂと後部横軸７ｃとで構成してある。
また、立片７ａのケース本体３側の内面に凸状の係止部７ｄを設け、ケース本体３の両側面に形成した凹状の係止受部３ａに係止部７ｄを挿入し、支持体７に対してケース本体３を回動自在に係止してある。更に、ケース本体３と支持体７の間にＬ字状に形成した板バネ８を配し、板バネ８の両端部に形成した半円状のアーム部のうち、一方のアーム部８ａを支持体の後方横軸７ｃに嵌着し、他方のアーム部８ｂをケース本体３に形成した板バネ受部３ｂに嵌着し、板バネ８で後方横軸７ｃとバネ受部３ｂとを離間するように弾発してある。この時、転写ヘッド２は図３のように立片７ａの前端の当接部７ｅより後方の位置に段発される。
更にまた、支持体７は一部が当接部７ｅより下方に突出するローラー９を有しており、立片７ａの当接部の側端に孔部７ｆを設け、ローラー９の両端に突部９ａを形成し、孔部７ｆに突部９ａを挿入し、ローラー９と支持体７とを回動自在に係止してある。
【００１７】
次に、図４及び図５を用いて、本実施例の転写具１を用いて転写対象物１００に転写動作を行う状態を説明する。
【００１８】
本実施例の転写具１は、図４のように転写具１を転写対象物１００の被転写面１００ａにセットした状態であり、転写ヘッド２が転写対象物１００の被転写面１００ａに当接していないため、転写具１を転写開始位置１００ｂに合わせてから転写動作を始めることができる。また、支持体の当接部７ｅの角部７ｇの位置が転写開始位置１００ｂと一致するように形成してあり、角部７ｇを転写開始位置１００ｂの目印とすることで、転写具１を転写開始位置１００ｂに精度よく合わせてセットすることが可能となる。
更に、図４の状態からケース本体３を板バネ８の弾発力に抗して被転写面１００ａ側（図４の矢示方向）に係止部７ｄを軸にして回動させると、図５に示すようにケース本体３の前方に形成した転写ヘッド２も同時に回動され、転写ヘッド２が転写対象物１００の被転写面１００ａに当接する。また、転写ヘッド２が被転写面１００ａに当接した状態で、転写具１を転写方向側（図５の矢示方向）にスライドさせることで転写物（糊）４ｂが転写対象物１００の被転写面１００ａに塗着される。このとき、ケース本体３には転写方向側に力が掛ると同時に支持体７の係止部７ｄを軸にして被転写面１００ａ側へ回動する力も同時に受けるため、転写ヘッド２は常に被転写面１００ａに押圧される力が働き、転写具１をスライドさせるときに転写ヘッド２が被転写面１００ａにしっかり押圧されているかを意識しなくても転写ヘッド２は自然に被転写面１００ａに押圧される力が働くため押圧力不足による転写ミスを防止できる。また、転写ヘッド２が被転写面１００ａに当接している間、転写具１は転写ヘッド２とローラー９の２点で支えられているため安定した姿勢を保って転写でき、更にローラー９により転写具１は被転写面１００ａ上をスムーズ且つ真っ直ぐ動かすことができた。
【００１９】
次に転写動作を終了し、ケース本体３から力を抜くと板バネ８の弾発力によりケース本体３は図５の状態から図４の状態にもどり、転写ヘッド２も被転写面１００ａより離間する。ここで、板バネ８によって弾発されたケース本体３は支持体７の前部横軸７ｂに当接して支持される。
【産業上の利用可能性】
【００２０】
本発明による転写具の構造は、糊などを塗着させるテープのりほか、間違った部分などを上塗りするための被膜を塗着させる修正テープなどに使用することができる。
【符号の説明】
【００２１】
１…転写具、
２…転写ヘッド、
３…ケース本体、３ａ…係止受部、３ｂ…板バネ受部、
４…転写テープ、４ａ…基材、４ｂ…転写物、
５…供給リール、
６…巻取リール、
７…支持体、７ａ…立片、７ｂ…前部横軸、７ｃ…後部横軸、７ｄ…係止部、
７ｅ…当接部、７ｆ…孔部、７ｇ…角部
８…板バネ、８ａ…一方のアーム部、８ｂ…他方のアーム部、
９…ローラー、９ａ…突部、
１００…転写対象物、１００ａ…被転写面、１００ｂ…転写開始位置。
【図１】
2016124197.tif 000003
【図２】
2016124197.tif 000004
【図３】
2016124197.tif 000005
【図４】
2016124197.tif 000006
【図５】
2016124197.tif 000007